(57)【要約】【課題】複数の表示装置に対する通信遅延時間が異なる場合でも、同じ内容のコンテンツを同期表示することができる同期表示システムを得ることを目的とする。【解決手段】複数の表示装置２に対する通信遅延時間の総和時間を算出して、現在時刻から総和時間後をコンテンツの表示時刻に設定し、その表示時刻と複数の表示装置２に対する通信遅延時間から、複数の表示装置２の表示インターバルを算出し、その表示インターバル、同期表示指令及びコンテンツを含む同期表示制御情報を複数の表示装置２に配信する。【選択図】図１
2009177591.tif 000002
【特許請求の範囲】
【請求項１】
操作端末が同期表示指令を複数の表示装置に配信し、上記複数の表示装置が上記操作端末から配信された同期表示指令を受信すると、上記同期表示指令にしたがってコンテンツを同期表示する同期表示システムにおいて、上記操作端末は、上記複数の表示装置に対する通信遅延時間を測定する通信遅延時間測定手段と、上記通信遅延時間測定手段により測定された複数の表示装置に対する通信遅延時間の総和時間を算出して、現在時刻から上記総和時間後をコンテンツの表示時刻に設定する表示時刻設定手段と、上記表示時刻設定手段により設定された表示時刻と上記通信遅延時間測定手段により測定された複数の表示装置に対する通信遅延時間から、上記複数の表示装置の表示インターバルを算出する表示インターバル算出手段と、上記表示インターバル算出手段により算出された表示インターバル及び同期表示指令を上記複数の表示装置に配信する配信手段とを備え、上記複数の表示装置は、上記操作端末の配信手段から配信された表示インターバル及び同期表示指令を受信する受信手段と、上記受信手段により表示インターバル及び同期表示指令が受信されてから、上記表示インターバルの時間が経過すると、コンテンツの表示を開始するコンテンツ表示手段とを備えていることを特徴とする同期表示システム。
【請求項２】
表示インターバル算出手段は、表示時刻設定手段により設定された表示時刻と、配信手段から表示インターバル及び同期表示指令が表示装置に配信される配信時刻との差分時間から、当該表示装置に対する通信遅延時間を差し引いた時間を表示インターバルとして算出することを特徴とする請求項１記載の同期表示システム。
【請求項３】
操作端末は、複数の表示装置が存在している位置を管理する位置管理手段と、上記位置管理手段により管理されている位置を参照して、上記複数の表示装置の中から、ある地域内に存在している表示装置を抽出する表示装置抽出手段と、上記表示装置抽出手段により抽出された表示装置のうち、隣り合う位置に存在している表示装置に対する表示インターバル及び同期表示指令の配信順序が連続になるように、上記表示装置抽出手段により抽出された表示装置に対する表示インターバル及び同期表示指令の配信順序を決定する配信順序決定手段とを備え、配信手段が上記配信順序決定手段により決定された配信順序で、表示インターバル算出手段により算出された表示インターバル及び同期表示指令を上記表示装置抽出手段により抽出された表示装置に配信することを特徴とする請求項１または請求項２記載の同期表示システム。
【請求項４】
操作端末が同期表示指令を複数の表示装置に配信し、上記複数の表示装置が上記操作端末から配信された同期表示指令を受信すると、上記同期表示指令にしたがってコンテンツを同期表示する同期表示システムにおいて、上記操作端末は、上記複数の表示装置と時刻同期を図る時刻同期手段と、上記複数の表示装置に対する通信遅延時間を測定する通信遅延時間測定手段と、上記通信遅延時間測定手段により測定された複数の表示装置に対する通信遅延時間の総和時間を算出して、上記時刻同期手段による時刻同期後の現在時刻から上記総和時間後をコンテンツの表示時刻に設定する表示時刻設定手段と、上記表示時刻設定手段により設定された表示時刻及び同期表示指令を上記複数の表示装置に配信する配信手段とを備え、上記複数の表示装置は、上記操作端末と時刻同期を図る時刻同期手段と、上記操作端末の配信手段から配信された表示時刻及び同期表示指令を受信する受信手段と、上記時刻同期手段による時刻同期後の時刻が上記受信手段により受信された表示時刻になると、コンテンツの表示を開始するコンテンツ表示手段とを備えていることを特徴とする同期表示システム。
【請求項５】
操作端末は、複数の表示装置が存在している位置を管理する位置管理手段と、上記位置管理手段により管理されている位置を参照して、上記複数の表示装置の中から、ある地域内に存在している表示装置を抽出する表示装置抽出手段と、上記表示装置抽出手段により抽出された表示装置のうち、隣り合う位置に存在している表示装置に対する表示時刻及び同期表示指令の配信順序が連続になるように、上記表示装置抽出手段により抽出された表示装置に対する表示時刻及び同期表示指令の配信順序を決定する配信順序決定手段とを備え、配信手段が上記配信順序決定手段により決定された配信順序で、表示時刻設定手段により設定された表示時刻及び同期表示指令を上記表示装置抽出手段により抽出された表示装置に配信することを特徴とする請求項４記載の同期表示システム。
【請求項６】
通信遅延時間測定手段は、表示装置に対する通信遅延時間として、ラウンドトリップ時間を測定することを特徴とする請求項１から請求項５のうちのいずれか１項記載の同期表示システム。
【請求項７】
複数の表示装置は、自己が存在している位置を測位し、上記位置を示す位置情報を操作端末に送信する位置測位手段を備えていることを特徴とする請求項３または請求項５記載の同期表示システム。
【請求項８】
移動操作端末が同期表示に関する操作要求を操作制御サーバに送信し、上記操作制御サーバが上記移動操作端末から同期表示に関する操作要求を受信すると、同期表示指令を複数の表示装置に配信し、上記複数の表示装置が上記操作制御サーバから配信された同期表示指令を受信すると、上記同期表示指令にしたがってコンテンツを同期表示する同期表示システムにおいて、上記操作制御サーバは、上記複数の表示装置に対する通信遅延時間を測定する通信遅延時間測定手段と、上記通信遅延時間測定手段により測定された複数の表示装置に対する通信遅延時間の総和時間を算出して、現在時刻から上記総和時間後をコンテンツの表示時刻に設定する表示時刻設定手段と、上記表示時刻設定手段により設定された表示時刻と上記通信遅延時間測定手段により測定された複数の表示装置に対する通信遅延時間から、上記複数の表示装置の表示インターバルを算出する表示インターバル算出手段と、上記表示インターバル算出手段により算出された表示インターバル及び同期表示指令を上記複数の表示装置に配信する配信手段とを備え、上記複数の表示装置は、上記操作制御サーバの配信手段から配信された表示インターバル及び同期表示指令を受信する受信手段と、上記受信手段により表示インターバル及び同期表示指令が受信されてから、上記表示インターバルの時間が経過すると、コンテンツの表示を開始するコンテンツ表示手段とを備えていることを特徴とする同期表示システム。
【請求項９】
移動操作端末が同期表示に関する操作要求を操作制御サーバに送信し、上記操作制御サーバが上記移動操作端末から同期表示に関する操作要求を受信すると、同期表示指令を複数の表示装置に配信し、上記複数の表示装置が上記操作制御サーバから配信された同期表示指令を受信すると、上記同期表示指令にしたがってコンテンツを同期表示する同期表示システムにおいて、上記操作制御サーバは、上記複数の表示装置と時刻同期を図る時刻同期手段と、上記複数の表示装置に対する通信遅延時間を測定する通信遅延時間測定手段と、上記通信遅延時間測定手段により測定された複数の表示装置に対する通信遅延時間の総和時間を算出して、上記時刻同期手段による時刻同期後の現在時刻から上記総和時間後をコンテンツの表示時刻に設定する表示時刻設定手段と、上記表示時刻設定手段により設定された表示時刻及び同期表示指令を上記複数の表示装置に配信する配信手段とを備え、上記複数の表示装置は、上記操作制御サーバと時刻同期を図る時刻同期手段と、上記操作制御サーバの配信手段から配信された表示時刻及び同期表示指令を受信する受信手段と、上記時刻同期手段による時刻同期後の時刻が上記受信手段により受信された表示時刻になると、コンテンツの表示を開始するコンテンツ表示手段とを備えていることを特徴とする同期表示システム。
【発明の詳細な説明】
【技術分野】
【０００１】
この発明は、複数の表示装置が操作端末から配信された同期表示指令にしたがってコンテンツを同期表示する同期表示システムに関するものである。
【背景技術】
【０００２】
従来の同期表示システムでは、予め、複数の表示装置が自装置におけるシステム時刻をサーバ（映像配信用装置）に登録し、サーバは、ある表示装置から別の表示装置に対して、同じ内容の映像配信を要求してくると、同じ内容の映像を各表示装置に配信する際、各表示装置におけるシステム時刻のズレに基づいて映像の配信タイミングを調整するようにしている（例えば、特許文献１を参照）。
【０００３】
【特許文献１】特開２００７−１０４１９３号公報（第１０頁から第１１頁、図１〜図２）
【発明の開示】
【発明が解決しようとする課題】
【０００４】
従来の同期表示システムは以上のように構成されているので、サーバが同じ内容の映像を各表示装置に配信する際、ある表示装置に対する通信遅延時間と、別の表示装置に対する通信遅延時間が同じであれば、同じ内容の映像を同期表示することができる。しかし、各表示装置に対する通信遅延時間が異なる場合、その通信遅延時間の差分だけ同期がずれて、同じ内容の映像を同期表示することができなくなるなどの課題があった。
【０００５】
この発明は上記のような課題を解決するためになされたもので、複数の表示装置に対する通信遅延時間が異なる場合でも、同じ内容のコンテンツを同期表示することができる同期表示システムを得ることを目的とする。
【課題を解決するための手段】
【０００６】
この発明に係る同期表示システムは、操作端末が、複数の表示装置に対する通信遅延時間を測定する通信遅延時間測定手段と、通信遅延時間測定手段により測定された複数の表示装置に対する通信遅延時間の総和時間を算出して、現在時刻から総和時間後をコンテンツの表示時刻に設定する表示時刻設定手段と、表示時刻設定手段により設定された表示時刻と通信遅延時間測定手段により測定された複数の表示装置に対する通信遅延時間から、複数の表示装置の表示インターバルを算出する表示インターバル算出手段と、表示インターバル算出手段により算出された表示インターバル及び同期表示指令を複数の表示装置に配信する配信手段とを備え、複数の表示装置が、操作端末の配信手段から配信された表示インターバル及び同期表示指令を受信する受信手段と、受信手段により表示インターバル及び同期表示指令が受信されてから、その表示インターバルの時間が経過すると、コンテンツの表示を開始するコンテンツ表示手段とを備えるようにしたものである。
【発明の効果】
【０００７】
この発明によれば、操作端末が、複数の表示装置に対する通信遅延時間を測定する通信遅延時間測定手段と、通信遅延時間測定手段により測定された複数の表示装置に対する通信遅延時間の総和時間を算出して、現在時刻から総和時間後をコンテンツの表示時刻に設定する表示時刻設定手段と、表示時刻設定手段により設定された表示時刻と通信遅延時間測定手段により測定された複数の表示装置に対する通信遅延時間から、複数の表示装置の表示インターバルを算出する表示インターバル算出手段と、表示インターバル算出手段により算出された表示インターバル及び同期表示指令を複数の表示装置に配信する配信手段とを備え、複数の表示装置が、操作端末の配信手段から配信された表示インターバル及び同期表示指令を受信する受信手段と、受信手段により表示インターバル及び同期表示指令が受信されてから、その表示インターバルの時間が経過すると、コンテンツの表示を開始するコンテンツ表示手段とを備えるように構成したので、複数の表示装置に対する通信遅延時間が異なる場合でも、同じ内容のコンテンツを同期表示することができる効果がある。
【発明を実施するための最良の形態】
【０００８】
実施の形態１．
図１はこの発明の実施の形態１による同期表示システムを示す構成図であり、図において、操作端末１は例えばインターネットなどのネットワーク４を介して、後述する表示インターバル及び同期表示指令（コンテンツの同期表示を指示する指令）を複数の表示装置２に配信するとともに、例えば、テロップや映像などのコンテンツを複数の表示装置２に配信する装置である。
この実施の形態１では、操作端末１がコンテンツを複数の表示装置２に配信するものについて説明するが、コンテンツは図示せぬサーバが複数の表示装置２に配信するようにして、操作端末１は表示インターバルと同期表示指令だけを複数の表示装置２に配信するようにしてもよい。
また、複数の表示装置２が予めコンテンツを自己のハードディスクなどに保存しておくようにしてもよい。
【０００９】
表示装置２は操作端末１から表示インターバル、同期表示指令及びコンテンツを受信すると、それらを受信してから表示インターバルの時間が経過すると、大型表示ディスプレイ３に対してコンテンツの表示を開始する装置である。
大型表示ディスプレイ３は表示装置２の制御の下、コンテンツを表示する表示パネルである。
【００１０】
操作端末１の表示装置位置管理部１１は複数の表示装置２が存在している位置（例えば、経緯度座標、住所、建物名・階数・部屋など）を管理している。なお、表示装置位置管理部１１は位置管理手段を構成している。
操作端末１の表示装置抽出部１２は表示装置位置管理部１１により管理されている位置を参照して、複数の表示装置２の中から、ある地域内に存在している表示装置２を抽出する処理を実施する。なお、表示装置抽出部１２は表示装置抽出手段を構成している。
【００１１】
操作端末１の配信順序決定部１３は表示装置位置管理部１１により管理されている位置を参照して、表示装置抽出部１２により抽出された表示装置２のうち、隣り合う位置に存在している表示装置２に対する同期表示制御情報（表示インターバル、同期表示指令、コンテンツ）の配信順序が連続になるように、表示装置抽出部１２により抽出された表示装置２に対する同期表示制御情報の配信順序を決定する処理を実施する。なお、配信順序決定部１３は配信順序決定手段を構成している。
【００１２】
操作端末１の通信遅延時間測定部１４はＮ台の表示装置２が存在している場合、Ｎ台の表示装置２に対する通信遅延時間ａ1，ａ2，・・・，ａNを測定する処理を実施する。なお、通信遅延時間測定部１４は通信遅延時間測定手段を構成している。
操作端末１の表示時刻設定部１５は表示装置抽出部１２により抽出された表示装置２がｋ台（Ｎ≧ｋ）である場合、通信遅延時間測定部１４により測定されたｋ台の表示装置２に対する通信遅延時間ａ1，ａ2，・・・，ａkの総和時間ａall（＝ａ1＋ａ2＋・・・＋ａk）を算出して、現在時刻Ｔnowから総和時間ａall後をコンテンツの表示時刻Ｔdspに設定する処理を実施する。なお、表示時刻設定部１５は表示時刻設定手段を構成している。
【００１３】
操作端末１の表示インターバル算出部１６は表示時刻設定部１５により設定された表示時刻Ｔdspと通信遅延時間測定部１４により測定されたｋ台の表示装置２に対する通信遅延時間ａ1，ａ2，・・・，ａkから、ｋ台の表示装置２の表示インターバルｉｎｔ1，ｉｎｔ2，・・・，ｉｎｔkを算出する処理を実施する。なお、表示インターバル算出部１６は表示インターバル算出手段を構成している。
操作端末１の通信制御部１７は配信順序決定部１３により決定された配信順序で、表示インターバル算出部１６により算出された表示インターバル、同期表示指令及びコンテンツメモリ１８に格納されているコンテンツを含む同期表示制御情報をｋ台の表示装置２に配信する処理を実施する。なお、通信制御部１７は配信手段を構成している。
【００１４】
図１の例では、操作端末１の構成要素である表示装置位置管理部１１、表示装置抽出部１２、配信順序決定部１３、通信遅延時間測定部１４、表示時刻設定部１５、表示インターバル算出部１６及び通信制御部１７が、それぞれ専用のハードウェア（例えば、ＭＰＵを実装している半導体集積回路基板）で構成されているものを想定しているが、操作端末１がコンピュータで構成される場合、表示装置位置管理部１１、表示装置抽出部１２、配信順序決定部１３、通信遅延時間測定部１４、表示時刻設定部１５、表示インターバル算出部１６及び通信制御部１７の処理内容を記述しているプログラムをコンピュータのメモリに格納し、当該コンピュータのＣＰＵが当該メモリに格納されているプログラムを実行するようにしてもよい。
【００１５】
表示装置２の情報通信部２１は操作端末１から配信された同期表示制御情報を受信する処理を実施する。なお、情報通信部２１は受信手段を構成している。
表示装置２の表示時刻管理部２２は情報通信部２１により同期表示制御情報が受信されてから、その同期表示制御情報に含まれている表示インターバルの時間が経過すると、コンテンツの表示開始指令を表示制御部２３に出力する処理を実施する。
表示装置２の表示制御部２３は表示時刻管理部２２からコンテンツの表示開始指令を受けると、その同期表示制御情報に含まれているコンテンツを大型表示ディスプレイ３に表示する処理を開始する。
なお、表示時刻管理部２２及び表示制御部２３からコンテンツ表示手段が構成されている。
【００１６】
図１の例では、表示装置２の構成要素である情報通信部２１、表示時刻管理部２２及び表示制御部２３が、それぞれ専用のハードウェア（例えば、ＭＰＵを実装している半導体集積回路基板）で構成されているものを想定しているが、表示装置２がコンピュータで構成される場合、情報通信部２１、表示時刻管理部２２及び表示制御部２３の処理内容を記述しているプログラムをコンピュータのメモリに格納し、当該コンピュータのＣＰＵが当該メモリに格納されているプログラムを実行するようにしてもよい。
【００１７】
次に動作について説明する。
操作端末１は、同期表示制御情報（表示インターバル、同期表示指令、コンテンツ）を複数の表示装置２に配信する前準備として、以下の処理を実施する。
即ち、操作端末１の表示装置位置管理部１１は、Ｎ台の表示装置２が存在している場合、Ｎ台の表示装置２が存在している位置を把握し、その位置を示す位置情報を登録する。
Ｎ台の表示装置２が固定的に設置されている場合、その設置位置は任意の手段で取得可能であり（例えば、表示装置２から位置情報を受信する）、設置位置を示す位置情報として、例えば、経緯度座標、住所、建物名・階数・部屋などを登録して管理する。
【００１８】
操作端末１の通信遅延時間測定部１４は、Ｎ台の表示装置２に対する通信遅延時間ａ1，ａ2，・・・，ａNを測定する。
即ち、通信遅延時間測定部１４は、Ｎ台の表示装置２に対する通信遅延時間ａ1，ａ2，・・・，ａNとして、Ｎ台の表示装置２との通信時におけるラウンドトリップ時間（ＲＴＴ）を測定する。ただし、ラウンドトリップ時間は、ある時点までの任意の通信において測定したものでよい。
通信方法として、例えば、「ＴＣＰ」を使用している場合、操作端末１が１つのパケットを表示装置２に送信すると、受信装置２から１つのパケットを受信できた旨の通知を受けることができるので、パケットの送信時刻と通知の送信時刻から通信遅延時間を測定する。
なお、通信遅延時間の測定処理は、Ｎ台の表示装置２に対して複数回実施し、複数回の測定結果の平均値を通信遅延とみなして、最終的な通信遅延時間を算出する。
【００１９】
以下、この実施の形態１では、ある地域（例えば、ショッピングモール、駅構内など）内に存在している複数の表示装置２に対して、同一のコンテンツを提供して、そのコンテンツの同期表示を行う場合について説明する。
操作端末１の表示装置抽出部１２は、表示装置位置管理部１１により管理されている位置を参照して、Ｎ台の表示装置２の中から、ある地域内に存在している表示装置２を抽出する。
【００２０】
表示装置位置管理部１１において、Ｎ台の表示装置２が存在している位置だけでなく、Ｎ台の表示装置２がどの地域に存在しているかについても管理されている場合には、表示装置位置管理部１１の管理内容を参照して、ある地域内に存在している表示装置２を抽出するようにする。
一方、表示装置位置管理部１１において、Ｎ台の表示装置２がどの地域に存在しているかについて管理されていない場合、ある地域を特定する情報（例えば、住所、建物名など）と表示装置位置管理部１１に管理されているＮ台の表示装置２の位置を比較して、ある地域内に存在している表示装置２を抽出するようにする。
また、ある地域の中心に存在している表示装置２が指定されているような場合には、その表示装置２から一定距離以内に存在している表示装置２を、ある地域内に存在している表示装置２として抽出するようにしてもよい。
図２では、Ｎ台の表示装置２のうち、ｋ台の表示装置２がある地域内に存在している表示装置２として抽出されている例を示している。
【００２１】
操作端末１の配信順序決定部１３は、表示装置抽出部１２がある地域内に存在しているｋ台の表示装置２を抽出すると、表示装置位置管理部１１により管理されている位置を参照して、ｋ台の表示装置２のうち、隣り合う位置に存在している表示装置２に対する同期表示制御情報の配信順序が連続になるように、ｋ台の表示装置２に対する同期表示制御情報の配信順序を決定する。
具体的には、以下のような方法で、ｋ台の表示装置２に対する同期表示制御情報の配信順序を決定する。
（１）操作端末１からの距離が短い順に、ｋ台の表示装置２を並べる。
（２）先頭の表示装置２を取り出し、その表示装置２から一定の距離範囲内に存在する他の表示装置（近隣の表示装置２）を、並び順を保ったまま取り出す。
（３）取り出されていない表示装置２が残っていれば、（２）の処理を続ける。
（４）取り出した順序ですべての表示装置２を並べる。
【００２２】
操作端末１の表示時刻設定部１５は、表示装置抽出部１２がある地域内に存在しているｋ台の表示装置２を抽出すると、通信遅延時間測定部１４により測定されたｋ台の表示装置２に対する通信遅延時間ａ1，ａ2，・・・，ａkの総和時間ａallを算出する。
ａall＝ａ1＋ａ2＋・・・＋ａk
そして、表示時刻設定部１５は、現在時刻Ｔnowから総和時間ａall後の時刻をコンテンツの表示時刻Ｔdspに設定する。
Ｔdsp＝Ｔnow＋ａall
【００２３】
操作端末１の表示インターバル算出部１６は、表示時刻設定部１５がコンテンツの表示時刻Ｔdspを設定すると、そのコンテンツの表示時刻Ｔdspと通信遅延時間測定部１４により測定されたｋ台の表示装置２に対する通信遅延時間ａ1，ａ2，・・・，ａkから、ｋ台の表示装置２の表示インターバルｉｎｔ1，ｉｎｔ2，・・・，ｉｎｔkを算出する。
以下、表示インターバルの算出を具体的に説明する。
ｋ台の表示装置２のうち、例えば、配信順序がｉ番目の表示装置２の表示インターバルｉｎｔiを算出する場合、まず、表示時刻設定部１５により設定されたコンテンツの表示時刻Ｔdspと、通信制御部１７から同期表示制御情報がｉ番目の表示装置２に配信される配信時刻Ｔｓiとの差分時間ΔＴiを算出する。
ΔＴi＝Ｔdsp−Ｔｓi
そして、表示インターバル算出部１６は、表示時刻Ｔdspと配信時刻Ｔｓiとの差分時間ΔＴiから、ｉ番目の表示装置２に対する通信遅延時間ａiを差し引いた時間を表示インターバルｉｎｔiとして算出する。
ｉｎｔi＝ΔＴi−ａi
【００２４】
操作端末１の通信制御部１７は、表示インターバル算出部１６がｋ台の表示装置２の表示インターバルｉｎｔ1，ｉｎｔ2，・・・，ｉｎｔkを算出すると、配信順序決定部１３により決定された配信順序で、ｋ台の表示装置２に対して同期表示制御情報を順番に配信する。
即ち、配信順序が１番目の表示装置２に対して、表示インターバルｉｎｔ1、同期表示指令及びコンテンツメモリ１８に格納されているコンテンツを含む同期表示制御情報を配信してから、配信順序が２番目の表示装置２に対して、表示インターバルｉｎｔ2、同期表示指令及び上記コンテンツと同一のコンテンツを含む同期表示制御情報を配信する。
以下、３番目〜ｋ−１番目の表示装置２に対して同様の配信を実施し、最後に、配信順序がｋ番目の表示装置２に対して、表示インターバルｉｎｔk、同期表示指令及び上記コンテンツと同一のコンテンツを含む同期表示制御情報を配信する。
【００２５】
ｋ台の表示装置２の情報通信部２１は、操作端末１から配信された同期表示制御情報を受信する。
ｋ台の表示装置２の表示時刻管理部２２は、情報通信部２１が同期表示制御情報を受信すると、その同期表示制御情報の受信時刻から、その同期表示制御情報に含まれている表示インターバルの時間が経過すると、コンテンツの表示開始指令を表示制御部２３に出力する。
例えば、配信順序がｉ番目の表示装置２の表示時刻管理部２２は、情報通信部２１における同期表示制御情報の受信時刻Ｔｒiから、表示インターバルｉｎｔiの時間が経過した時刻が表示時刻Ｔdspであると認識し、システム時刻が表示時刻Ｔdspになると、コンテンツの表示開始指令を表示制御部２３に出力する。
ｋ台の表示装置２の表示制御部２３は、表示時刻管理部２２からコンテンツの表示開始指令を受けると、その同期表示制御情報に含まれているコンテンツを大型表示ディスプレイ３に表示する処理を開始する。
【００２６】
以上で明らかなように、この実施の形態１によれば、操作端末１が、複数の表示装置２に対する通信遅延時間を測定する通信遅延時間測定部１４と、通信遅延時間測定部１４により測定された複数の表示装置２に対する通信遅延時間の総和時間を算出して、現在時刻から総和時間後をコンテンツの表示時刻に設定する表示時刻設定部１５と、表示時刻設定部１５により設定された表示時刻と通信遅延時間測定部１４により測定された複数の表示装置２に対する通信遅延時間から、複数の表示装置２の表示インターバルを算出する表示インターバル算出部１６と、表示インターバル算出部１６により算出された表示インターバル、同期表示指令及びコンテンツを含む同期表示制御情報を複数の表示装置２に配信する通信制御部１７とを備え、複数の表示装置２が、操作端末１から配信された同期表示制御情報を受信する情報通信部２１と、情報通信部２１により同期表示制御情報が受信されてから、その同期表示制御情報に含まれている表示インターバルの時間が経過すると、コンテンツの表示開始指令を出力する表示時刻管理部２２とを備えるように構成したので、複数の表示装置２に対する通信遅延時間が異なる場合でも、同じ内容のコンテンツを同期表示することができる効果を奏する。
【００２７】
また、この実施の形態１によれば、複数の表示装置２が存在している位置を管理する表示装置位置管理部１１と、表示装置位置管理部１１により管理されている位置を参照して、複数の表示装置２の中から、ある地域内に存在している表示装置を抽出する表示装置抽出部１２と、表示装置抽出部１２により抽出された表示装置２のうち、隣り合う位置に存在している表示装置２に対する同期表示制御情報の配信順序が連続になるように、表示装置抽出部１２により抽出された表示装置２に対する同期表示制御情報の配信順序を決定する配信順序決定部１３とを備え、通信制御部１７が配信順序決定部１３により決定された配信順序で、同期表示制御情報を表示装置抽出部１２により抽出された表示装置２に配信するように構成したので、ある地域内に存在している近隣の表示装置２の同期表示の精度を高めることができる効果を奏する。
【００２８】
実施の形態２．
図３はこの発明の実施の形態２による同期表示システムを示す構成図であり、図において、図１と同一符号は同一または相当部分を示すので説明を省略する。
操作端末１の時刻同期部３１はＮ台の表示装置２の時刻同期部２４と時刻同期を図り、Ｎ台の表示装置２と同一のシステム時刻を共有する。なお、時刻同期部３１は時刻同期手段を構成している。
操作端末１の通信制御部３２は配信順序決定部１３により決定された配信順序で、表示時刻設定部１５により設定された表示時刻Ｔdsp、同期表示指令及びコンテンツメモリ１８に格納されているコンテンツを含む同期表示制御情報をｋ台の表示装置２に配信する処理を実施する。なお、通信制御部３２は配信手段を構成している。
【００２９】
図３の例では、操作端末１の構成要素である表示装置位置管理部１１、表示装置抽出部１２、配信順序決定部１３、通信遅延時間測定部１４、表示時刻設定部１５、時刻同期部３１及び通信制御部３２が、それぞれ専用のハードウェア（例えば、ＭＰＵを実装している半導体集積回路基板）で構成されているものを想定しているが、操作端末１がコンピュータで構成される場合、表示装置位置管理部１１、表示装置抽出部１２、配信順序決定部１３、通信遅延時間測定部１４、表示時刻設定部１５、時刻同期部３１及び通信制御部３２の処理内容を記述しているプログラムをコンピュータのメモリに格納し、当該コンピュータのＣＰＵが当該メモリに格納されているプログラムを実行するようにしてもよい。
【００３０】
表示装置２の時刻同期部２４は操作端末１の時刻同期部３１と時刻同期を図り、操作端末１と同一のシステム時刻を共有する。なお、時刻同期部２４は時刻同期手段を構成している。
表示装置２の情報通信部２５は操作端末１から配信された同期表示制御情報を受信する処理を実施する。なお、情報通信部２５は受信手段を構成している。
表示装置２の表示時刻管理部２６は時刻同期部２４による時刻同期後のシステム時刻が情報通信部２５により受信された同期表示制御情報に含まれている表示時刻Ｔdspになると、コンテンツの表示開始指令を表示制御部２３に出力する処理を実施する。
なお、表示時刻管理部２６及び表示制御部２３からコンテンツ表示手段が構成されている。
【００３１】
図３の例では、表示装置２の構成要素である時刻同期部２４、情報通信部２５、表示時刻管理部２６及び表示制御部２３が、それぞれ専用のハードウェア（例えば、ＭＰＵを実装している半導体集積回路基板）で構成されているものを想定しているが、表示装置２がコンピュータで構成される場合、時刻同期部２４、情報通信部２５、表示時刻管理部２６及び表示制御部２３の処理内容を記述しているプログラムをコンピュータのメモリに格納し、当該コンピュータのＣＰＵが当該メモリに格納されているプログラムを実行するようにしてもよい。
【００３２】
次に動作について説明する。
操作端末１は、同期表示制御情報（表示時刻、同期表示指令、コンテンツ）を複数の表示装置２に配信する前準備として、以下の処理を実施する。
即ち、操作端末１の時刻同期部３１は、Ｎ台の表示装置２の時刻同期部２４と時刻同期を図り、操作端末１とＮ台の表示装置２が同一のシステム時刻を共有する。
時刻同期を行う方法は、一般にいくつかの方法があるが、例えば、ＮＴＰ（Ｎｅｔｗｏｒｋ  Ｔｉｍｅ  Ｐｒｏｔｏｃｏｌ）を利用する方法を用いればよい。
その他、ＧＰＳ（Ｇｌｏｂａｌ  Ｐｏｓｉｔｉｏｎｉｎｇ  Ｓｙｓｔｅｍ）信号を受信して、ＧＰＳ信号から時刻基準を取得する方法や、時間情報を含む標準電波を受信する電波時計を利用する方法などがある。
【００３３】
操作端末１における表示装置位置管理部１１、表示装置抽出部１２、配信順序決定部１３、通信遅延時間測定部１４及び表示時刻設定部１５の処理内容は、上記実施の形態１と同様であるため説明を省略する
ただし、表示時刻設定部１５は、上記実施の形態１と同様に、現在時刻Ｔnowから総和時間ａall後の時刻をコンテンツの表示時刻Ｔdspに設定するが、ここでの現在時刻Ｔnowは、時刻同期部３１による時刻同期後の現在時刻である。
【００３４】
操作端末１の通信制御部３２は、表示時刻設定部１５がコンテンツの表示時刻Ｔdspを設定すると、配信順序決定部１３により決定された配信順序で、ｋ台の表示装置２に対して同期表示制御情報を順番に配信する。
即ち、配信順序が１番目の表示装置２に対して、コンテンツの表示時刻Ｔdsp、同期表示指令及びコンテンツメモリ１８に格納されているコンテンツを含む同期表示制御情報を配信してから、配信順序が２番目の表示装置２に対して、上記同期表示制御情報と同一の同期表示制御情報を配信する。
以下、３番目〜ｋ−１番目の表示装置２に対して同様の配信を実施し、最後に、配信順序がｋ番目の表示装置２に対して、上記同期表示制御情報と同一の同期表示制御情報を配信する。
【００３５】
この実施の形態２では、操作端末１と表示装置２が同一のシステム時刻を共有しているので、操作端末１での表示時刻Ｔdspが、そのまま、表示装置２での表示時刻Ｔdspになる。
そのため、操作端末１は、ｋ台の表示装置２に対して、表示インターバルではなく、表示時刻Ｔdspを含む同期表示制御情報を配信するようにしている。
【００３６】
ｋ台の表示装置２の情報通信部２５は、操作端末１から配信された同期表示制御情報を受信する。
ｋ台の表示装置２の表示時刻管理部２６は、時刻同期部２４による時刻同期後のシステム時刻が情報通信部２５により受信された同期表示制御情報に含まれている表示時刻Ｔdspになると、コンテンツの表示開始指令を表示制御部２３に出力する。
ｋ台の表示装置２の表示制御部２３は、表示時刻管理部２６からコンテンツの表示開始指令を受けると、その同期表示制御情報に含まれているコンテンツを大型表示ディスプレイ３に表示する処理を開始する。
【００３７】
以上で明らかなように、この実施の形態２によれば、操作端末１が、複数の表示装置２と時刻同期を図る時刻同期部３１と、複数の表示装置２に対する通信遅延時間を測定する通信遅延時間測定部１４と、通信遅延時間測定部１４により測定された複数の表示装置２に対する通信遅延時間の総和時間を算出して、時刻同期部３１による時刻同期後の現在時刻から総和時間後をコンテンツの表示時刻に設定する表示時刻設定部１５と、表示時刻設定部１５により設定された表示時刻、同期表示指令及びコンテンツを含む同期表示制御情報を複数の表示装置２に配信する通信制御部３２とを備え、複数の表示装置２が、操作端末１と時刻同期を図る時刻同期部２４と、操作端末１から配信された同期表示制御情報を受信する情報通信部２５と、時刻同期部２４による時刻同期後のシステム時刻が情報通信部２５により受信された同期表示制御情報に含まれている表示時刻になると、コンテンツの表示開始指令を出力する表示時刻管理部２６とを備えるように構成したので、複数の表示装置２に対する通信遅延時間が異なる場合でも、同じ内容のコンテンツを同期表示することができる効果を奏する。
【００３８】
また、この実施の形態２によれば、複数の表示装置２が存在している位置を管理する表示装置位置管理部１１と、表示装置位置管理部１１により管理されている位置を参照して、複数の表示装置２の中から、ある地域内に存在している表示装置を抽出する表示装置抽出部１２と、表示装置抽出部１２により抽出された表示装置２のうち、隣り合う位置に存在している表示装置２に対する同期表示制御情報の配信順序が連続になるように、表示装置抽出部１２により抽出された表示装置２に対する同期表示制御情報の配信順序を決定する配信順序決定部１３とを備え、通信制御部３２が配信順序決定部１３により決定された配信順序で、同期表示制御情報を表示装置抽出部１２により抽出された表示装置２に配信するように構成したので、ある地域内に存在している近隣の表示装置２の同期表示の精度を高めることができる効果を奏する。
【００３９】
実施の形態３．
上記実施の形態１，２では、Ｎ台の表示装置２が固定的に設置されているものについて示したが、表示装置２が自動車や電車などに搭載されて移動する場合がある。
このような場合、Ｎ台の表示装置２は、自己が存在している位置を測位することが可能なＧＰＳ受信機のような位置測位手段を備え、情報通信部２１（または、情報通信部２５）がＧＰＳ受信機により測位された位置を示す位置情報を操作端末１に送信するようにする。
操作端末１の表示装置位置管理部１１は、通信制御部１７（または、通信制御部３２）が表示装置２から送信された位置情報を受信すると、その位置情報が示す表示装置２の位置を登録する。
【００４０】
ここでは、ＧＰＳ受信機が、自己が存在している位置を測位するものについて示したが、これに限るものではなく、任意の手段を用いることができる。
なお、情報通信部２１（または、情報通信部２５）は、常時、ＧＰＳ受信機により測位された位置を示す位置情報を操作端末１に送信するようにしてもよいが、前回と位置が変化している場合に限り、位置情報を操作端末１に送信するようにしてもよい。
【００４１】
上記実施の形態１，２では、操作端末１の通信遅延時間測定部１４が、Ｎ台の表示装置２に対する通信遅延時間ａ1，ａ2，・・・，ａNを測定する際、通信遅延時間の測定処理をＮ台の表示装置２に対して複数回実施し、複数回の測定結果の平均値を通信遅延とみなして、最終的な通信遅延時間を算出するもについて示したが、表示装置２が移動する場合、通信経路が変化して、通信遅延も変化する可能性が高いので、複数回の測定結果の平均値を求めず、最新の測定結果を通信遅延時間とみなすようにする。
【００４２】
以上で明らかなように、この実施の形態３によれば、複数の表示装置２が、自己が存在している位置を測位し、その位置を示す位置情報を操作端末１に送信するように構成したので、表示装置２が移動する場合でも、同じ内容のコンテンツを同期表示することができる効果を奏する。
【００４３】
実施の形態４．
図４及び図５はこの発明の実施の形態４による同期表示システムを示す構成図であり、図において、図１及び図３と同一符号は同一または相当部分を示すので説明を省略する。
移動操作端末５は例えば自動車や電車などに搭載されて移動し、同期表示に関する操作要求を操作制御サーバ６に送信する装置である。
操作制御サーバ６は図１及び図３の操作端末１に相当する装置であり（図１及び図３の操作端末１と同様の処理部を備え、操作要求処理部５１を追加実装している）、移動操作端末５から同期表示に関する操作要求を受信すると、例えばインターネットなどのネットワーク４を介して、表示インターバル（または、表示時刻）、同期表示指令及びコンテンツを含む同期表示制御情報を複数の表示装置２に配信する装置である。
【００４４】
移動操作端末５の操作入力部４１は複数の表示装置２に表示させるコンテンツの選択情報や、同期表示させる地域の情報などの入力を受け付けるマンマシンインタフェースである。
移動操作端末５の操作要求送信部４２は操作入力部４１により入力が受け付けられたコンテンツの選択情報や同期表示させる地域の情報などを含む操作要求を操作制御サーバ６に送信する処理を実施する。
操作制御サーバ６の操作要求処理部５１は通信制御部１７（または通信制御部３２）が移動操作端末５から送信された操作要求を受信すると、その操作要求に含まれている地域の情報を参照して、抽出対象の地域を表示装置抽出部１２に指示するとともに、その操作要求に含まれているコンテンツの選択情報を参照して、配信対象のコンテンツを通信制御部１７（または通信制御部３２）に指示する処理を実施する。
【００４５】
次に動作について説明する。
移動操作端末５の操作入力部４１は、複数の表示装置２に表示させるコンテンツの選択情報や、同期表示させる地域の情報などの入力受け付けを行う。
なお、移動操作端末５は、移動可能な端末であるため、例えば、コンテンツの表示担当者などが、実際にコンテンツを同期表示させる地域などに出向き、その場で、同期表示させる地域やコンテンツを決定して、移動操作端末５に入力することができる。
移動操作端末５の操作要求送信部４２は、操作入力部４１がコンテンツの選択情報や同期表示させる地域の情報などの入力を受け付けると、コンテンツの選択情報や同期表示させる地域の情報などを含む操作要求を操作制御サーバ６に送信する。
【００４６】
操作制御サーバ６の操作要求処理部５１は、通信制御部１７（または通信制御部３２）が移動操作端末５から送信された操作要求を受信すると、その操作要求に含まれている地域の情報を参照して、抽出対象の地域を表示装置抽出部１２に指示する。
これにより、表示装置抽出部１２は、当該地域内に存在している表示装置を抽出する。表示装置の抽出方法は、上記実施の形態１〜３と同様であるため説明を省略する。
また、操作要求処理部５１は、その操作要求に含まれているコンテンツの選択情報を参照して、配信対象のコンテンツを通信制御部１７（または通信制御部３２）に指示する。
これにより、通信制御部１７（または通信制御部３２）は、同期表示制御情報を複数の表示装置２に配信する際、そのコンテンツをメモリ１８から取得し、そのコンテンツを含む同期表示制御情報を複数の表示装置２に配信する。
【００４７】
以上で明らかなように、この実施の形態４によれば、移動可能な移動操作端末５が同期表示に関する操作要求を操作制御サーバ６に送信し、操作制御サーバ６が移動操作端末５から同期表示に関する操作要求を受信すると、同期表示制御情報を複数の表示装置２に配信するように構成したので、例えば、コンテンツの表示担当者などが、任意の場所で、操作要求を入力することができる効果を奏する。
【図面の簡単な説明】
【００４８】
【図１】この発明の実施の形態１による同期表示システムを示す構成図である。
【図２】ｋ台の表示装置２が同一のコンテンツを同期表示する例を示す説明図である。
【図３】この発明の実施の形態２による同期表示システムを示す構成図である。
【図４】この発明の実施の形態４による同期表示システムを示す構成図である。
【図５】この発明の実施の形態４による同期表示システムを示す構成図である。
【符号の説明】
【００４９】
１  操作端末、２  表示装置、３  大型表示ディスプレイ、４  ネットワーク
５  移動操作端末、６  操作制御サーバ、１１  表示装置位置管理部（位置管理手段、１２  表示装置抽出部（表示装置抽出手段）、１３  配信順序決定部（配信順序決定手段）、１４  通信遅延時間測定部（通信遅延時間測定手段）、１５  表示時刻設定部（表示時刻設定手段）、１６  表示インターバル算出部（表示インターバル算出手段）、１７  通信制御部（配信手段）、１８  コンテンツメモリ、２１  情報通信部（受信手段）、２２  表示時刻管理部（コンテンツ表示手段）、２３  表示制御部（コンテンツ表示手段、２４  時刻同期部（時刻同期手段）、２５  情報通信部（受信手段）、２６  表示時刻管理部（コンテンツ表示手段）、３１  操作端末１の時刻同期部（時刻同期手段）、３２  通信制御部（配信手段）、４１  操作入力部、４２  操作要求送信部、５１  操作要求処理部。
【図１】
2009177591.tif 000003
【図２】
2009177591.tif 000004
【図３】
2009177591.tif 000005
【図４】
2009177591.tif 000006
【図５】
2009177591.tif 000007